(57)【要約】      （修正有）【課題】再生することが出来ないコンテンツを自動的に削除し、記憶装置の容量を増やす。【解決手段】コンテンツ鍵の使用条件を参照し、コンテンツ鍵を用いて暗号化コンテンツを復号することができない場合、たとえば再生期限切れの場合に、記憶装置から前記コンテンツ鍵および前記コンテンツを削除し、使用可能な記憶容量を増加させる。【選択図】図４
2010039568.tif 000002
【特許請求の範囲】
【請求項１】
暗号化されている暗号化コンテンツと、使用条件が設定されている前記暗号化コンテンツを複合するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置であって、
前記コンテンツ鍵の使用条件を参照し、前記コンテンツ鍵を用いて暗号化コンテンツを復号することができない場合に、前記記憶メディアから前記コンテンツ鍵および前記コンテンツを削除する削除手段を具備することを特徴とする再生装置。
【請求項２】
前記削除手段は、暗号化コンテンツを復号することができないコンテンツ鍵の削除時、前記コンテンツを復号可能な別のコンテンツ鍵に設定されている使用条件が、削除されるコンテンツ鍵に対応する前記コンテンツを復号可能なことを示している場合に、前記コンテンツを削除しないことを特徴とする請求項１に記載の再生装置。
【請求項３】
前記記憶メディアには、前記コンテンツを再生し終わったか否かを示す再生情報が格納され、
前記再生情報が前記コンテンツを再生し終わっていないことを示している場合に、前記削除手段は前記コンテンツを削除しないことを特徴とする請求項１に記載の再生装置。
【請求項４】
前記コンテンツを復号するための新たなコンテンツ鍵の入手をユーザに提示するための手段を更に具備することを特徴とする請求項３に記載の再生装置。
【請求項５】
前記記憶メディアには、前記コンテンツの再生回数を示す再生情報が格納され、
前記削除手段は、前記再生回数が設定値を超えている場合に、前記コンテンツを削除しないことを特徴とする請求項１に記載の再生装置。
【請求項６】
暗号化されている暗号化コンテンツと、使用条件が設定されている前記暗号化コンテンツを複合するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置におけるコンテンツ／コンテンツ鍵管理方法であって、
前記コンテンツ鍵の使用条件を参照し、前記コンテンツ鍵を用いて暗号化コンテンツを復号することができない場合に、前記記憶メディアから前記コンテンツ鍵および前記コンテンツを削除することを特徴とするコンテンツ／コンテンツ鍵管理方法。
【請求項７】
暗号化コンテンツを復号することができないコンテンツ鍵の削除時、前記コンテンツを復号可能な別のコンテンツ鍵に設定されている使用条件が、削除されるコンテンツ鍵に対応する前記コンテンツを復号可能なことを示している場合に、前記コンテンツを削除しないことを特徴とする請求項６に記載のコンテンツ／コンテンツ鍵管理方法。
【請求項８】
前記記憶メディアには、前記コンテンツを再生し終わったか否かを示す再生情報が格納され、
前記再生情報が前記コンテンツを再生し終わっていないことを示している場合に、前記コンテンツを削除しないことを特徴とする請求項６に記載のコンテンツ／コンテンツ鍵管理方法。
【請求項９】
前記削除されなかったコンテンツを復号するための新たなコンテンツ鍵の入手をユーザに提示することを特徴とする請求項８に記載のコンテンツ／コンテンツ鍵管理方法。
【請求項１０】
前記記憶メディアには、前記コンテンツの再生回数を示す再生情報が格納され、
前記再生回数が設定値を超えている場合に、前記コンテンツを削除しないことを特徴とする請求項６に記載のコンテンツ／コンテンツ鍵管理方法。
【発明の詳細な説明】
【技術分野】
【０００１】
本発明は、暗号化されているコンテンツを復号して再生する再生装置およびコンテンツ／コンテンツ鍵管理方法に関する。
【背景技術】
【０００２】
特許文献１には、電子書籍などの貸与コンテンツで、貸出期限情報を含む時限鍵で暗号化したコンテンツに関し、貸与期限を過ぎると時限鍵を無効化または削除し、コンテンツの閲覧を不許可にする技術が開示されている。
【特許文献１】特開２００５−２５４３８号公報
【発明の開示】
【発明が解決しようとする課題】
【０００３】
上述した文献に記載されている技術では、閲覧（再生）することが出来ないコンテンツが残っており、装置の記憶装置の資源の無駄に使用しているという問題がある。
【０００４】
本発明の目的は、再生することが出来ないコンテンツを自動的に削除し、記憶装置の容量を増やすことが可能な再生装置およびコンテンツ／コンテンツ鍵管理方法を提供することにある。
【課題を解決するための手段】
【０００５】
本発明の一例に係わる再生装置は、暗号化されている暗号化コンテンツと、使用条件が設定されている前記暗号化コンテンツを複合するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置であって、前記コンテンツ鍵の使用条件を参照し、前記コンテンツ鍵を用いて暗号化コンテンツを復号することができない場合に、前記記憶メディアから前記コンテンツ鍵および前記コンテンツを削除する削除手段を具備することを特徴とする。
【０００６】
本発明の一例に係わるコンテンツ／コンテンツ鍵管理方法は、暗号化されている暗号化コンテンツと、使用条件が設定されている前記暗号化コンテンツを複合するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置におけるコンテンツ／コンテンツ鍵管理方法であって、前記コンテンツ鍵の使用条件を参照し、前記コンテンツ鍵を用いて暗号化コンテンツを復号することができない場合に、前記記憶メディアから前記コンテンツ鍵および前記コンテンツを削除することを特徴とする。
【発明の効果】
【０００７】
再生することが出来ないコンテンツを自動的に削除し、記憶装置の容量を増やすことが可能になる。
【発明を実施するための最良の形態】
【０００８】
本発明の実施の形態を以下に図面を参照して説明する。  
図１は、本発明の一実施形態に係わるコンテンツ再生装置のシステム構成を示すブロック図である。  
コンテンツ再生装置１０は、ＳＤカード等のメディア２０に格納されているコンテンツ２１を復号するためのコンテンツ鍵２２を読み出し、再生可能期限、再生可能回数、再生可能スパン（初回の再生開始時から再生可能な時間）等の権利情報の確認を行う権利情報確認部１１と、メディアに格納されているコンテンツ２１をコンテンツ鍵２２を用いて復号するための復号処理部１２と、復号されたコンテンツ２１を再生するための再生処理部１３とを有する。また、再生処理部１３は、再生を行ったコンテンツ２１の再生完了の有無、中断位置等の情報を再生情報２３としてメディアに格納する。
【０００９】
なお、権利情報確認部１１は、再生期限が過ぎた等の理由でメディアに格納されているコンテンツ鍵２２を用いてコンテンツ２１を復号することが出来ない場合に、メディアに格納されているコンテンツ鍵２２を自動的に削除する機能を有する。
【００１０】
権利情報確認部１１は、図２に示されているように、コンテンツ鍵２２および再生情報２３を取得して鍵の使用ルールを確認する（ステップＳ１１）。そして、使用ルールがコンテンツ鍵２２を用いてコンテンツ２１を復号できない状態であれば、権利情報確認部１１は、コンテンツ鍵２２およびコンテンツ２１を削除する（ステップＳ１２）。
【００１１】
なお、権利情報確認部１１は、以下のルールに基づいて、コンテンツ鍵２２の削除を行う。  
１．レンタルコンテンツ等で期限や回数などの条件で再生できない場合は、コンテンツ鍵２２を自動的に削除する。  
２．上記１に加えてコンテンツ２１も削除する。  
３．コンテンツ鍵２２が複数ある場合は２が適用されず、鍵が最後の１つになった場合は適用される。
【００１２】
上述したルール１〜３に基づいたコンテンツ鍵２２およびコンテンツ２１の削除の例について以下に説明する。  
図３は、メディア２０に格納されているコンテンツ２１とコンテンツ鍵２２の状態を示している。コンテンツＡを複合するにはコンテンツ鍵Ａ１を用い、コンテンツＢ１、Ｂ２を複合するには、コンテンツ鍵Ｂ１、Ｂ２を用いるとする。なお、現在を２００８年６月１日とする。
【００１３】
コンテンツ鍵Ａ１には、再生期限（２００８年１月１日）が設定されている。また、コンテンツ鍵Ｂ１には、再生期限（２００９年１月１日）が設定されている。コンテンツ鍵Ｂ２には、再生期限（２００９年１月１日）が設定されている。
【００１４】
権利情報確認部１１は、再生可能期限が過ぎている、再生可能回数が０である、再生可能スパンが過ぎている等の場合に、図４に示されているように、コンテンツ鍵２２を削除する。また、権利情報確認部１１は、復号可能なコンテンツ鍵２２がメディア２０内に存在しないコンテンツ２１のファイルも削除する。
【００１５】
例えば、現在が２００８年６月１日とすると、再生期限が２００８年１月１日に設定されているコンテンツ鍵Ａ１を用いてコンテンツＡを復号することが出来ない。この場合、権利情報確認部１１は、図４に示されているように、コンテンツ鍵Ａ１を削除する。また、コンテンツＡは、復号可能なコンテンツ鍵２２が削除され、復号することが出来ない。よって、権利情報確認部１１は、コンテンツ鍵Ａ１を削除する。
【００１６】
また、再生期限が２００８年１月１日に設定されているコンテンツ鍵Ｂ２を用いてコンテンツＢ１，Ｂ２を復号することが出来ない。よって、権利情報確認部１１は、図４に示されているように、コンテンツ鍵Ｂ２を削除する。コンテンツＢ１，Ｂ２は、コンテンツ鍵Ｂ１を用いて復号すること可能である。よって、権利情報確認部１１は、図４に示されているように、コンテンツＡおよびコンテンツ鍵Ａ１の削除の場合と異なって、コンテンツＢ１，Ｂ２を削除しない。但し、コンテンツ鍵Ｂ１に設定されている再生期限（２００９年１月１日）が過ぎたら、コンテンツ鍵Ｂ１、コンテンツＢ１，Ｂ２を削除する。
【００１７】
なお、上述したルール１〜３、以下に定義するルール４〜６を付け加えても良い。  
４．上記２のコンテンツ２１を削除する場合に付加的な条件を加える。  
例えば、上記ルール２，３においてコンテンツ２１を最後まで再生していないなどの場合は削除を行わない。
【００１８】
更に、ルール４について説明する。コンテンツ２１を自動削除を行う場合、鍵自身が削除され再生出来なくなったコンテンツ２１であっても使用者は意図的に消して欲しくない場合がある。例えば、コンテンツ２１の提供をレンタルとした場合、使用者は再度鍵を取得する場合が考えれられる。
【００１９】
コンテンツ２１自身を視聴し終わっていない状態で再生期限を過ぎてしまった場合、使用者は今後そのコンテンツ２１の鍵のみを購入すれば、再生することができる。コンテンツ２１自身を削除してしまうと使用者が再度、再生するための鍵を手に入れた場合にまたダウンロードなどの取得を行わなければならない。よって使用者は現在のレンタルビデオの延長に近いイメージでコンテンツ２１の視聴を行うことが出来る。また鍵削除後に指定期間は消さないでおくようにしても良い。
【００２０】
５．また、ルール４の組み合わせを使用者を選択することができるようにしても良い。
【００２１】
ア）  コンテンツ鍵２２を削除する／しない
イ）  ア）で削除する場合の条件
（例）再生可能期限が過ぎたかなど
ウ）コンテンツ２１を削除する／しない
エ）コンテンツ２１を削除する場合の条件
（例）コンテンツ２１を最後まで視聴したかどうか
逆にコンテンツ２１を何回も観ている（今後も同じコンテンツ２１を観る可能性が高い）など。
【００２２】
６．ルール４のコンテンツ２１削除を行わないとした場合と同じ条件で、ユーザに対して、再度コンテンツ鍵２２をレンタル(延長)や購入することを提示するようにしても良い。
【００２３】
例えば、ルール４でのコンテンツ２１削除はユーザがまだ観る可能性があるので、コンテンツ鍵２２は消してもコンテンツ２１は消さないという技術であるが、消さないと判断した場合は同時にユーザにレンタルを延長することや、購入することなどを、再生装置１０に設けられたディスプレイに表示することによって、伝えるようにしても良い。
【００２４】
上述したように、再生することが出来ないコンテンツを自動的に削除することができ、記憶装置の容量を増やすことが可能になる。
【００２５】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２６】
【図１】本発明の一実施形態に係わるコンテンツ再生処理装置の構成を示すブロック図。
【図２】本発明の一実施形態に係わるコンテンツ鍵およびコンテンツの削除の手順を説明するための図。
【図３】メディアに格納されているコンテンツとコンテンツ鍵の例を示す図。
【図４】メディアに格納されているコンテンツとコンテンツ鍵の削除例を示す図。
【符号の説明】
【００２７】
１０…コンテンツ再生装置，１１…権利情報確認部，１２…復号処理部，１３…再生処理部，２０…メディア，２１…コンテンツ，２２…コンテンツ鍵，２３…再生情報。
【図１】
2010039568.tif 000003
【図２】
2010039568.tif 000004
【図３】
2010039568.tif 000005
【図４】
2010039568.tif 000006
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
暗号化されている暗号化コンテンツと、使用条件が設定されている前記暗号化コンテンツを復号するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置であって、
前記コンテンツ鍵の使用条件を参照し、前記コンテンツ鍵を用いて暗号化コンテンツを復号することができない場合に、前記記憶メディアから前記コンテンツ鍵および前記コンテンツを削除する削除手段を具備することを特徴とする再生装置。
【請求項２】
前記削除手段は、暗号化コンテンツを復号することができないコンテンツ鍵の削除時、前記コンテンツを復号可能な別のコンテンツ鍵に設定されている使用条件が、削除されるコンテンツ鍵に対応する前記コンテンツを復号可能なことを示している場合に、前記コンテンツを削除しないことを特徴とする請求項１に記載の再生装置。
【請求項３】
前記記憶メディアには、前記コンテンツを再生し終わったか否かを示す再生情報が格納され、
前記再生情報が前記コンテンツを再生し終わっていないことを示している場合に、前記削除手段は前記コンテンツを削除しないことを特徴とする請求項１に記載の再生装置。
【請求項４】
前記コンテンツを復号するための新たなコンテンツ鍵の入手をユーザに提示するための手段を更に具備することを特徴とする請求項３に記載の再生装置。
【請求項５】
前記記憶メディアには、前記コンテンツの再生回数を示す再生情報が格納され、
前記削除手段は、前記再生回数が設定値を超えている場合に、前記コンテンツを削除しないことを特徴とする請求項１に記載の再生装置。
【請求項６】
暗号化されている暗号化コンテンツと、使用条件が設定されている前記暗号化コンテンツを復号するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置におけるコンテンツ／コンテンツ鍵管理方法であって、
前記コンテンツ鍵の使用条件を参照し、前記コンテンツ鍵を用いて暗号化コンテンツを復号することができない場合に、前記記憶メディアから前記コンテンツ鍵および前記コンテンツを削除することを特徴とするコンテンツ／コンテンツ鍵管理方法。
【請求項７】
暗号化コンテンツを復号することができないコンテンツ鍵の削除時、前記コンテンツを復号可能な別のコンテンツ鍵に設定されている使用条件が、削除されるコンテンツ鍵に対応する前記コンテンツを復号可能なことを示している場合に、前記コンテンツを削除しないことを特徴とする請求項６に記載のコンテンツ／コンテンツ鍵管理方法。
【請求項８】
前記記憶メディアには、前記コンテンツを再生し終わったか否かを示す再生情報が格納され、
前記再生情報が前記コンテンツを再生し終わっていないことを示している場合に、前記コンテンツを削除しないことを特徴とする請求項６に記載のコンテンツ／コンテンツ鍵管理方法。
【請求項９】
前記削除されなかったコンテンツを復号するための新たなコンテンツ鍵の入手をユーザに提示することを特徴とする請求項８に記載のコンテンツ／コンテンツ鍵管理方法。
【請求項１０】
前記記憶メディアには、前記コンテンツの再生回数を示す再生情報が格納され、
前記再生回数が設定値を超えている場合に、前記コンテンツを削除しないことを特徴とする請求項６に記載のコンテンツ／コンテンツ鍵管理方法。
【手続補正２】
【補正対象書類名】明細書
【補正対象項目名】０００５
【補正方法】変更
【補正の内容】
【０００５】
本発明の一例に係わる再生装置は、暗号化されている暗号化コンテンツと、使用条件が設定されている前記暗号化コンテンツを復号するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置であって、前記コンテンツ鍵の使用条件を参照し、前記コンテンツ鍵を用いて暗号化コンテンツを復号することができない場合に、前記記憶メディアから前記コンテンツ鍵および前記コンテンツを削除する削除手段を具備することを特徴とする。
【手続補正３】
【補正対象書類名】明細書
【補正対象項目名】０００６
【補正方法】変更
【補正の内容】
【０００６】
本発明の一例に係わるコンテンツ／コンテンツ鍵管理方法は、暗号化されている暗号化コンテンツと、使用条件が設定されている前記暗号化コンテンツを復号するためのコンテンツ鍵とが格納されている記憶メディアから前記暗号化コンテンツおよび前記コンテンツ鍵を読み出し、前記暗号化コンテンツを前記コンテンツ鍵を用いて復号し、復号されたコンテンツを再生する再生装置におけるコンテンツ／コンテンツ鍵管理方法であって、前記コンテンツ鍵の使用条件を参照し、前記コンテンツ鍵を用いて暗号化コンテンツを復号することができない場合に、前記記憶メディアから前記コンテンツ鍵および前記コンテンツを削除することを特徴とする。